(57)【特許請求の範囲】
【請求項１】
複数の光ビームを照射して、情報の記録再生を行う光記録媒体であって、
複数のトラックを備え、
各前記複数のトラックは、番地を記録する記録領域を含み、
前記記録領域に記録される情報は、
前記複数の光ビームと同数のトラックを束ねたトラック束毎にそれぞれ番地をつけたトラック束番地情報と、
前記複数の光ビームにそれぞれつけた第１のビーム番号と同様に割当てた第２のビーム番地情報とを含み、
情報再生手段が前記複数の光ビームを前記光記録媒体に照射して、前記複数の光ビームのうちの少なくとも１つによって前記トラック束番地情報と前記第２のビーム番地情報とを再生し、前記トラック束番地と前記第２のビーム番地と前記複数の光ビームの数とから各トラックの絶対番地を求め、各ビームをそれぞれいずれのトラックに位置付けるかを判断しながらアクセスすることを特徴とする、光記録媒体。
【請求項２】
光記録媒体に複数の光ビームを照射して、情報の記録再生を行うマルチビーム記録再生装置であって、
前記光記録媒体は複数のトラックを備え、各前記複数のトラックは、番地を記録する記録領域を含み、前記記録領域に記録される情報は、前記複数の光ビームと同数のトラックを束ねたトラック束毎にそれぞれ番地をつけたトラック束番地情報と、前記複数の光ビームにそれぞれつけた第１のビーム番号と同様に割当てた第２のビーム番地情報とを含み、
前記マルチビーム記録再生装置は、
前記複数の光ビームを前記光記録媒体に照射する手段と、
前記複数の光ビームのうちの少なくとも１つの反射光または透過光から前記トラック束番地と前記第２のビーム番地情報とを再生する手段と、
前記トラック束番地と前記第２のビーム番地と前記複数の光ビームの数とから各トラックの絶対番地を求める番地情報再生手段とを備え、
各ビームをそれぞれいずれのトラックに位置付けるかを判断しながらアクセスすることを特徴とする、マルチビーム記録再生装置。
【発明の詳細な説明】
【０００１】
【産業上の利用分野】
本発明は、複数の光ビームを同時に記録媒体に照射し、記録再生の速度を向上させるマルチビーム記録再生装置において、番地情報を再生して情報の記録再生を行ったり、あるいは横断トラック数を計算してアクセスさせるマルチビーム記録再生装置および光記録媒体に関するものである。
【０００２】
【従来の技術】
第１の従来例として特開昭５９−１８５０４４に開示された光メモリ装置があった。この装置ではマルチビーム照射手段から、トラッキング制御を行う制御用ビームと情報の記録再生を行う記録再生用ビームを記録媒体に照射し、その複数の反射光をデータ再生手段に入力し、情報の記録再生速度を向上させていた。
【０００３】
第２の従来例として図５に示す光ディスク上のセクタフォーマットがあった。セクタ７はヘッダー部５とデータ部６に分かれており、番地情報はヘッダー部５に記録してあった。ヘッダー部５は、セクタマーク、トラック番地、セクタ番地から構成されていた。
【０００４】
第３の従来例として図６に示す光記録再生装置があった。光磁気ディスク８には、図５の番地情報を記録していた。単一ビーム照射手段１８から光ビームＢを光磁気ディスク８に照射し、その反射光あるいは透過光Ｒを受光手段１９によって再生信号Ｅに変換していた。再生信号Ｅをトラック番地・セクタ番地再生手段２０へ入力し、トラック番地やセクタ番地を再生しながら、情報の記録再生を行っていた。また、番地情報Ｆをアクセス手段１７に入力し、目標トラックにアクセスしていた。
【０００５】
第４の従来例として、特開平４−２５５９６７に開示された光ディスク及びその使用法があった。この例ではトラックを束ねて記録するマルチスパイラル方式が開示されていた。
【０００６】
【発明が解決しようとする課題】
ところが、マルチビーム記録再生装置では複数の光ビームを有しており、上記従来例では、どの光ビームでどのトラック番地を再生するかという点について何ら開示されておらず、番地情報を明確に確認しながら情報を記録再生したり、あるいはアクセスすることが困難であるという問題点があった。
【０００７】
また、トラックを束ねて記録する方式が開示されていたが、その管理方式等は全く開示されていなかった。
【０００８】
【課題を解決するための手段】
この発明は、複数の光ビームを照射して、情報の記録再生を行う光記録媒体であって、複数のトラックを備える。各複数のトラックは、番地を記録する記録領域を含む。記録領域に記録される情報は、複数の光ビームと同数のトラックを束ねたトラック束毎にそれぞれ番地をつけたトラック束番地情報と、複数の光ビームにそれぞれつけた第１のビーム番号と同様に割当てた第２のビーム番地情報とを含み、情報再生手段が複数の光ビームを光記録媒体に照射して、複数の光ビームのうちの少なくとも１つによってトラック束番地情報と第２のビーム番地情報とを再生し、トラック束番地と第２のビーム番地と複数の光ビームの数とから各トラックの絶対番地を求め、各ビームをそれぞれいずれのトラックに位置付けるかを判断しながらアクセスすることを特徴とする。
【０００９】
他の発明は、光記録媒体に複数の光ビームを照射して、情報の記録再生を行うマルチビーム記録再生装置であって、光記録媒体は複数のトラックを備え、各複数のトラックは、番地を記録する記録領域を含み、記録領域に記録される情報は、複数の光ビームと同数のトラックを束ねたトラック束毎にそれぞれ番地をつけたトラック束番地情報と、複数の光ビームにそれぞれつけた第１のビーム番号と同様に割当てた第２のビーム番地情報とを含む。マルチビーム記録再生装置は、複数の光ビームを光記録媒体に照射する手段と、複数の光ビームのうちの少なくとも１つの反射光または透過光からトラック束番地と第２のビーム番地情報とを再生する手段と、トラック束番地と第２のビーム番地と複数の光ビームの数とから各トラックの絶対番地を求める番地情報再生手段とを備え、各ビームをそれぞれいずれのトラックに位置付けるかを判断しながらアクセスすることを特徴とする。
【００１４】
【作用】
本発明によれば、従来のトラック番地の代わりにトラック束番地とビーム番地を光記録媒体に記録する。あるいは従来のトラック番地に加えて少なくともトラック束番地かビーム番地を記録する。
したがって、どの光ビームでどの番地を再生するかを明確にでき、これを行いながら情報を記録再生したり、あるいはアクセスすることが可能となる。また、トラック束番地は従来のトラック番地よりも区切りを大きくできるため、粗検索に適しており高速アクセスが可能となる。
【００１５】
【実施例】
〈実施例１〉
図１は本発明の第１の実施例におけるセクタフォーマットの要部を示す図である。ヘッダー部５において、従来のトラック番地ＴＲに代えてトラック束番地ＴＢとビーム番地ＢＭを記録する。なお、従来例と同様にトラック束番地ＴＢとビーム番地ＢＭとセクタ番地ＳＣを３回ずつ記録する。
【００１６】
図２にトラックフォーマットの要部を示す。第２のビーム番地１〜４をもつトラックをそれぞれを第１のビーム番号１〜４をもつ光ビームによって記録再生する。この例では光ビームが４本の例を示す。第２のビーム番地１〜４のトラックを一つのトラック束とする。すると、任意のトラック番地ＴＲは、トラック束番地ＴＢとビーム番地ＢＭと光ビーム数Ｎを用いて以下の式で決定する事ができる。          ＴＲ＝ＴＢ×Ｎ＋ＢＭ
以上のように、どの光ビームでどの番地を再生するかを明確にすることが可能となる。なお、これに限らず従来のトラック番地  に加えて、トラック束番地ＴＢかあるいはビーム番地ＢＭの少なくともどちらか一方を記録しても、同様の効果を得ることができる。
【００１７】
〈参考例１〉図３は本発明の第２の実施例におけるマルチビーム記録再生装置の要部を示す図である。この例ではトラック束番地ＴＢのみを使用したマルチビーム記録再生装置を示す。光磁気ディスク８には、図１のトラック束番地を記録する。マルチビーム照射手段９から光ビームＢ１〜Ｂ４を光磁気ディスク８に照射し、その反射光あるいは透過光Ｒ１〜Ｒ４を受光手段１０によって再生信号Ａに変換する。再生信号Ａをトラック束番地再生手段１１へ入力し、トラック束番地ＴＢを再生しながら、情報の記録再生を行うことが可能となる。
【００１８】
また、トラック束番地ＴＢをアクセス手段１２に入力し、目標トラック束にアクセスすることも可能となる。任意のトラック番地ＴＲは、トラック束番地ＴＢとビーム番地ＢＭと光ビーム数Ｎを用いて以下の式で決定する事ができる。
ＴＲ＝ＴＢ×Ｎ＋ＢＭ
したがって、トラック束ＴＢは区切りが大きくなり、目標のトラック束ＴＢへの粗検索の計算やトラック束の検出が容易となり、高速アクセスを容易に行うことができる。
【００１９】
〈参考例２〉図４は本発明の第３の実施例におけるマルチビーム記録再生装置の要部を示す図である。この例ではビーム番地ＢＭのみを使用したマルチビーム記録再生装置を示す。光磁気ディスク８には、図１の第２のビーム番地ＢＭを記録する。マルチビーム照射手段９から光ビームＢ１〜Ｂ４を光磁気ディスク８に照射し、その反射光あるいは透過光Ｒ１〜Ｒ４をマルチビーム受光手段１３によって再生信号Ａに変換する。再生信号Ａをビーム番地再生手段１４へ入力し、第２のビーム番地ＢＭを再生する。ビーム番号比較手段１５では、第１のビーム番号Ｒ１〜Ｒ４と第２のビーム番地１４を比較する。なお、特に比較する必要はなく、例えば第１のビーム番号Ｒ１の受光素子の再生信号から第２のビーム番地ＢＭを再生するだけでもよい。そしてその比較結果Ｃを番地情報再生手段１６に入力し、番地情報Ｄを再生しながら情報の記録再生を行うことが可能となる。なお、第１のビーム番号Ｒ１〜Ｒ４と第２のビーム番地ＢＭは必ずしも一致する必要はなく、その番号の差から番地を演算することも可能である。
【００２０】
また、Ｒ１〜Ｒ４の中の少なくとも１つを比較するだけでもよい。
また、番地情報Ｄをアクセス手段１２に入力し、目標トラックにアクセスすることも可能となる。
【００２１】
尚、上記実施例において、全てのトラックが案内溝を持つ必要はなく、複数の光ビームのうち少なくとも１つの光ビームがトラックの案内溝に追従する構成でもよい。
【００２２】
【発明の効果】
以上のように、本発明によれば、従来のトラック番地の代わりにトラック束番地とビーム番地を光記録媒体に記録する。あるいは従来のトラック番地に加えて少なくともトラック束番地かビーム番地を記録する。
したがって、どの光ビームでどの番地情報を再生するかを明確にでき、これを行いながら情報を記録再生したり、あるいはアクセスすることが可能となる。また、トラック束番地は従来のトラック番地よりも区切りを大きくできるため、粗検索に適しており高速アクセスが可能となる。
また、マルチスパイラル方式に限らず、シングルスパイラル方式においても、１回毎に区切ってトラック番地を設けることが可能となる。
尚、上記実施例では光磁気ディスク記録再生装置を例に挙げて説明したが、これに限らずカードやテープ等の装置や追記型、相変化型の光記録再生装置においても、適用可能である。
【図面の簡単な説明】
【図１】本発明の第１の実施例における光記録媒体のセクターフォーマットの要部を示す図である。
【図２】本発明の第１の実施例におけるトラックフォーマットを示す図である。
【図３】本発明の第２の実施例におけるマルチビーム記録再生装置の要部を示す図である。
【図４】本発明の第３の実施例におけるマルチビーム記録再生装置の要部を示す図である。
【図５】従来の光記録媒体のセクターフォーマットの要部を示す図である。
【図６】従来の光磁気ディスク記録再生装置の要部を示す図である。
【符号の説明】
ＴＢ  トラック束
ＴＢ  トラック束番地
ＢＭ  ビーム番地
８    光磁気ディスク
９    マルチビーム照射手段
１０  受光手段
１１  トラック束番地再生手段
１２  アクセス手段
１３  マルチビーム受光手段
１４  ビーム番地再生手段
１５  ビーム番号比較手段
１６  番地情報再生手段
【図１】
0003560995.tif 000002
【図２】
0003560995.tif 000003
【図３】
0003560995.tif 000004
【図４】
0003560995.tif 000005
【図５】
0003560995.tif 000006
【図６】
0003560995.tif 000007